(57)【要約】【課題】金銭収納装置に関し、使い勝手を良好にすることを目的とする。【解決手段】キャビネット内に引き出し操作自在にドロアを収容した金銭収納装置であって、  収納紙幣先端部を押し上げる押し上げ部と、  押し上げ部の押し上げ動作時に収納紙幣の中央部を押さえ付ける紙幣押さえ部とを有して構成する。【選択図】  図４
2006072869.tif 000002
【特許請求の範囲】
【請求項１】
キャビネット内に引き出し操作自在にドロアを収容した金銭収納装置であって、
収納紙幣先端部を押し上げる押し上げ部と、
押し上げ部の押し上げ動作時に収納紙幣の中央部を押さえ付ける紙幣押さえ部とを有する金銭収納装置。
【請求項２】
前記押し上げ部は、ドロアのキャビネットからの引き出し操作に同期して作動する請求項１記載の金銭収納装置。
【請求項３】
前記押し上げ部は、
入力端がキャビネット内壁に形成されたガイドに沿って移動自在なリンク装置により駆動される請求項１または２記載の金銭収納装置。
【発明の詳細な説明】
【技術分野】
【０００１】
本発明は、金銭収納装置に関するものである。
【背景技術】
【０００２】
金銭登録機等に併設されて紙幣等の保管を行う金銭収納装置としては、特許文献１に記載のものが知られている。この従来例において、金銭収納装置はキャビネット内にドロアを引き出し操作自在に収納して形成される。
【０００３】
ドロア内には積層状に収容される紙幣を押さえて紙幣の散逸を防止するための紙幣押さえと、紙幣押さえの動作に連動して前縁が上昇するように傾斜する紙幣支持部とを有する。紙幣押さえを退避位置まで回転させると、紙幣支持部が傾斜して収納紙幣は手前側が引き上げられるので、オペレータが紙幣を取り易くなる。
【特許文献１】特開平７-１４１５６７号公報
【発明の開示】
【発明が解決しようとする課題】
【０００４】
しかし、紙幣押さえの動作に連動して紙幣支持部が動作する上記従来例において、紙幣支持部が傾斜した状態では、紙幣押さえによる紙幣の押さえが解除された状態となっており、さらに、紙幣全体が傾斜姿勢となるために、散乱しやすく使い勝手が悪いという欠点がある。
【０００５】
本発明は、以上の欠点を解消すべくなされたものであって、使い勝手が良好な金銭収納装置を提供することを目的とする。
【課題を解決するための手段】
【０００６】
本発明において、金銭収納装置は、ドロア２内に積層状に収納される紙幣Ａの前端部を上方に持ち上げる押し上げ部３と、押し上げ部３の昇降動作時に最上層の紙幣Ａの中央部を押さえ付ける紙幣押さえ部４とを有する。
【０００７】
この状態で収納紙幣Ａは、紙幣押さえ部４により押さえ付けられた部位から折れ曲がって前端部のみが上方に引き上げられた状態となる。紙幣Ａ前端部の引き上げにより、オペレータが紙幣Ａを捲り、あるいは数えることが非常に簡単になり、かつ、この状態で紙幣Ａ全体は紙幣押さえ部４により押さえ付けられているために、散乱することもなく、使い勝手が向上する。
【発明の効果】
【０００８】
本発明によれば、紙幣Ａの取り出し時に紙幣中央部を押さえ付けた状態で紙幣前端部のみが持ち上がるために、紙幣が散乱することなく、さらに、指を差し込んで紙幣枚数を数えることも簡単であるために、使い勝手を向上させることができる。
【発明を実施するための最良の形態】
【０００９】
図１に示すように、金銭収納装置は、キャビネット１と、キャビネット１内に引き出し操作自在に格納されるドロア２とを有する。ドロア２は、平面視矩形のトレイ形状に形成され、キャビネット１からの引き出し先端側には、複数の硬貨入れボックス２ａ、２ａ・・が配置される。
【００１０】
また、ドロア２の中央部には、紙幣収容凹部７が形成される。図４（ａ）に示すように、紙幣収容凹部７は複数枚の紙幣Ａを積層状に収容可能であり、各紙幣収容凹部７の上方には、紙幣収容凹部７内の紙幣Ａを上方から押さえ付ける紙幣押さえ（紙幣押さえ部４）が配置される。紙幣押さえ４は、図４（ａ）において実線で示すように、先端が収容紙幣Ａの最上層に当接する押し付け位置と、図４（ａ）において鎖線で示すように、先端が跳ね上がる押し付け解除位置との間で枢軸４ａ周りに回転操作可能に軸支される。紙幣押さえ４が、押し付け位置と押し付け解除位置とのいずれかを選択的に取ることができるように、紙幣押さえ４には、押し付け位置と押し付け解除位置との中間に思案点が設定されるように、図外のスプリングが取り付けられる。
【００１１】
さらに、ドロア２の底壁部にはプレート状の押し上げ部３が配置される。押し上げ部３は、上述した紙幣押さえ４による紙幣Ａの押し付け部より前端寄りに配置され、後述する出力リンク８の枢軸８ａに固定される。
【００１２】
上記押し上げ部３を駆動するリンク装置６は揺動リンク９と出力リンク８とをドロア２の側壁に回転自在に連結して構成される。枢軸９ａが中間部に位置する揺動リンク９の押し込み先頭側（キャビネット１奥側）端部にはローラ９ｂが空転自在に装着され、キャビネット１内壁に形成されたレール状のガイド５に支承される。ガイド５は、ドロア２の引き出し方向、すなわちキャビネット１の奥行き方向に長寸であり、前方に行くに従って高さが漸次高くなる傾斜面として形成される。
【００１３】
一方、出力リンク８は上記揺動リンク９より手前側に位置する枢軸８ａ周りに回転自在であり、奥側端部に立設される連結ピン８ｂが、上記揺動リンク９の手前側端部に開設される長孔９ｃに挿入される。揺動リンク９が揺動すると、連結ピン８ｂが長孔９ｃ内を移動しながら出力リンク８は揺動リンク９の揺動方向と反対方向に揺動する。
【００１４】
したがってこの実施の形態において、図３（ａ）に示すように、ドロア２がキャビネット１内に収容されている際には、ローラ９ｂはガイド５の最奥部近傍に位置し、揺動リンク９は、所定の揺動角をとる。この状態で、出力リンク８の枢軸８ａに固定される押し上げ部３は、図４（ａ）に示すように、ほぼ水平姿勢をとり、紙幣収容凹部７の底壁もほぼ平坦面となる。この結果、紙幣収容凹部７内の紙幣Ａも水平姿勢となる。 
【００１５】
この状態からドロア２をキャビネット１から引き出すと、図３（ｂ）に示すように、ドロア２とともに、リンク装置６はキャビネット１に対して前方に相対移動し、同時にローラ９ｂはガイド５上を前方に移動する。上述したように、ガイド５は前方に行くに従って高さが高くなるために、ローラ９ｂのガイド５前方への移動により、揺動リンク９はローラ装着端側がガイド５の傾斜による高さ差分（δ）だけ上方に移動し、図３（ｂ）において反時計回りに回転する。
【００１６】
揺動リンク９の回転により、出力リンク８は時計回りに回転し、枢軸８ａに固定される押し上げ部３は先端が上昇するように回転する。この結果、図４（ｂ）に示すように、中間部を紙幣押さえ４により押し付けられて紙幣収容凹部７内に積層、収容されていた紙幣Ａは、前端のみが持ち上げられ、オペレータが紙幣Ａ先端に手指を差し込んで紙幣Ａの枚数を数えるのが簡単になる。
【００１７】
また、このとき、紙幣収容凹部７の前面壁が上方に行くに従って紙幣収容凹部７の面積が大きくなるような傾斜面７ａで形成されているために、手指の挿入スペースが広くとれ、紙幣Ａを数える作業がよりしやすくなる。
【図面の簡単な説明】
【００１８】
【図１】本発明を示す図で、（ａ）はドロアの平面図、（ｂ）はキャビネットの斜視図である。
【図２】リンク装置を示す図で、（ａ）はドロアへの装着状態を示す図、（ｂ）はリンク装置の要部拡大図、（ｃ）はドロア引き出し状態におけるリンク装置の要部拡大図である。
【図３】本発明の動作を示す図で、（ａ）はドロア収容状態を示す図、（ｂ）はドロア引き出し状態を示す図である。
【図４】ドロアを示す図で、（ａ）はキャビネット内での状態を示す断面図、（ｂ）は引き出し状態を示す断面図である。
【符号の説明】
【００１９】
１        キャビネット
２        ドロア
３        押し上げ部
４        紙幣押さえ部
５        ガイド
６        リンク装置
Ａ        紙幣
【図１】
2006072869.tif 000003
【図２】
2006072869.tif 000004
【図３】
2006072869.tif 000005
【図４】
2006072869.tif 000006